(57)【要約】【課題】棒状化粧料が抜け落ちにくくした棒状化粧料製品を提供する。【解決手段】筒状の中皿２１の一端側に棒状化粧料１の下部を収納し、中皿２１の他端に蓋部材３０を設けた棒状化粧料製品１００において、中皿２１の内部の棒状化粧料１と蓋部材３０との間に密閉空間Ｒを形成する。【選択図】図１
2007175218.tif 000002
【特許請求の範囲】
【請求項１】
筒状の中皿の一端側に棒状化粧料の下部を収納し、中皿の他端に蓋部材を設けた棒状化粧料製品であって、中皿の内部の棒状化粧料と蓋部材との間に密閉空間が形成されている棒状化粧料製品。
【請求項２】
前記密閉空間を外気圧より減圧した請求項１記載の棒状化粧料製品。
【請求項３】
前記蓋部材の周縁部と中皿の下端部とが嵌合している請求項１又は２記載の棒状化粧料製品。
【請求項４】
前記蓋部材が、中皿の端面に貼り付けた合成樹脂シートからなる請求項１又は２記載の棒状化粧料製品。
【発明の詳細な説明】
【技術分野】
【０００１】
本発明は、口紅等の棒状化粧料製品に関する。
【背景技術】
【０００２】
一般に、棒状化粧料製品において棒状化粧料を収納する容器は、キャップと本体部とからなり、本体部は中皿と該中皿を上下に移動可能とする繰り出し容器を備え、中皿は、棒状化粧料の外径とほぼ等しい内径の筒状部を有しており、その筒状部の一方の端部内に棒状化粧料の下部を収納し、保持している。
【０００３】
棒状化粧料は、棒状化粧料製品を運搬または使用する際に、振動や外力により中皿から抜けることがある。そこで、棒状化粧料を確実に保持して抜けを防止する方法として、筒状の中皿の内壁面に係合用リブを設け、棒状化粧料を食い込ませることが提案されている（例えば、特許文献１）。
【０００４】
しかしながら、係合用リブを設けても、棒状化粧料製品が落下した場合には、係合が不十分となって抜け落ち、棒状化粧料の使用に支障が生じることがある。これに対しては、棒状化粧料全体の抜けを防止するため、係合リブの形状や配置を工夫することがなされているが、十分な改善はされていない。また、棒状化粧料の硬さなどに応じて係合用リブの配置や形状を変更しなければならず、中皿の共通化が困難な状況にある。
【０００５】
【特許文献１】実開昭６２-６７５１５号公報
【発明の開示】
【発明が解決しようとする課題】
【０００６】
本発明は、上記のような従来技術に鑑み、棒状化粧料が抜け落ちて使用に支障が生じることを少なくした棒状化粧料製品を提供することを目的とする。
【課題を解決するための手段】
【０００７】
本発明者は、筒状の中皿の下部、すなわち棒状化粧料が収納されている側と反対側の筒状体の内部に空間が存在することに着目し、この内部空間を密閉すると、棒状化粧料が中皿から抜け落ちようとするときには、内部空間の容積が膨張するため外気圧に比して内部空間内は減圧となり、外気圧との圧力差で棒状化粧料が中皿内部に吸引されることを見出した。
【０００８】
即ち、本発明は、筒状の中皿の一端側に棒状化粧料の下部を収納し、中皿の他端に蓋部材を設けた棒状化粧料製品であって、中皿の内部の棒状化粧料と蓋部材との間に密閉空間が形成されている棒状化粧料製品を提供する。
【発明の効果】
【０００９】
本発明の棒状化粧料製品によれば、中皿の内部の棒状化粧料と蓋部材との間に密閉空間が形成されていることにより、棒状化粧料が中皿から抜け落ちにくくなる。そのため、落下等により強い衝撃を受けた場合であっても、棒状化粧料が抜け落ちるおそれを低減できる。
【発明を実施するための最良の形態】
【００１０】
以下、本発明の実施の形態について図面を参照しつつ説明する。なお、各図中、同一符号は同一又は同等の構成要素を表している。また、以下の本発明の説明にあたっては、長手方向における棒状化粧料の先端方向を「上」、その反対方向を「下」と称することがある。
【００１１】
図１は、本発明の棒状化粧料製品１００の一例の部分縦断面図であり、キャップ１０と、口紅等の棒状化粧料１を収納した本体部２０とからなる。本体部２０は筒状の中皿２１を有し、中皿２１の上端部側に棒状化粧料１の下部を収納している。また、本体部２０は、中皿２１の棒状化粧料１が収納された側とは反対側の下端部に嵌め込まれた蓋部材３０、及び中皿２１を棒状化粧料１の長手方向に移動可能とする繰り出し機構４０を有している。
【００１２】
蓋部材３０は略円盤状で周縁部に溝３１が形成され、中皿２１の下端部には、この溝３１に嵌められるフランジ内壁２２が中皿２１の内壁から張り出すように形成されており、蓋部材３０の溝３１と中皿２１のフランジ内壁２２との嵌合により、中皿２１の下端部が蓋部材３０で密封されるようにしている。また、中皿２１の上部は棒状化粧料１によって密封されている。そのため、中皿２１内の棒状化粧料１と蓋部材３０との間には、外気と遮断されて密閉状態が保たれる密閉空間Ｒが形成されており、これにより棒状化粧料１を中皿２１から抜け落ちにくくしている。
【００１３】
密閉空間Ｒの密封性を高めるため、蓋部材３０としては例えば、ポリアミド（ＰＡ）、エチレン−ビニルアルコール（ＥＶＯＨ）、アルミなどのガスバリア性のよい材料で成型したものや、ポリエチレン（ＰＥ）、プロプレン（ＰＰ）、ポリエチレンテレフタレート（ＰＥＴ）、スチレンアクリルニトリル（ＳＡＮ）、ポリスチレン（ＰＳ）、ブタジエンスチレン（ＢＳ）、ポリエチレンナフタレート（ＰＡＮ）、ポリブチレンテレフタレート（ＰＢＴ）、ポリカーボネイト（ＰＣ）、ポリアセタール（ＰＯＭ）、シリコンゴム等の弾性部材などとの複合品でガスバリア性を高めることが望ましい。
【００１４】
また、棒状化粧料１を中皿２１からより抜け落ちにくくするために、密閉空間Ｒを当初から外気圧よりも減圧状態に形成することが好ましい。そのように密閉空間Ｒを形成する方法としては、(1)棒状化粧料１を中皿２１内にセットした後、棒状化粧料が熱いうちに蓋部材３０を嵌める方法、(2)棒状化粧料１を中皿２１内にセットした後、中皿２１の下端部から暖かい空気を送り込み、その後に蓋部材３０を嵌める方法、(3)棒状化粧料１を中皿２１内にセットし、蓋部材３０を嵌めた後、蓋部材３０側からエアバキュームして密閉空間Ｒを減圧にする方法、(4)棒状化粧料１を中皿２１内にセットした後、減圧室内で蓋部材３０を嵌める方法、(5)製品となった棒状化粧料を容器ごと温め、冷却する方法等がある。
【００１５】
なお、棒状化粧料１を中皿２１内にセットする方法としては、型枠を使用して別途成形した棒状化粧料１を中皿２１の上端部から差し込む方法もあるが、中皿２１の底部に棒状化粧料の充填口を設け、更に、中皿２１の上部側の開口部を成形カプセルで覆い、充填口から加熱溶融した棒状化粧料を中皿２１内に充填し、冷却、固化する方法が、製造工程を簡略化でき、コストを削減できるので好ましい。
【００１６】
繰り出し機構４０は、受け皿４１、ハカマ４２、内筒部材４３、螺旋部材４４及びスリーブ４５からなる。
【００１７】
受け皿４１は、中皿２１の外周に挿嵌されるほぼ円筒形の部材であり、その外周に係合ピン４６が突設されている。
【００１８】
ハカマ４２は金属製の円筒形部材である。
【００１９】
内筒部材４３は、合成樹脂製の略円筒形の部材で、その下部が中具４７を介してハカマ４２内に挿入され、内筒部材４３、中具４７及びハカマ４２が嵌合固定されている。内筒部材４３には上下方向に切り欠き部４８が形成されている。また、中具４７は中間部が太径に形成されており、太径部の外周面がハカマ４２の外周面と面一に揃っている。
【００２０】
螺旋部材４４は、内筒部材４３の上方外周部を回動可能に覆う合成樹脂製部材であり、その内周面には、螺旋溝が形成されており、前述の係合ピン４６が、内筒部材４３の切り欠き部４８を貫通してこの螺旋溝（図示せず）に係合する。
【００２１】
スリーブ４５は、螺旋部材４４の外周を覆う金属製の略円筒形部材で、その下端部には摺動リング４９が嵌められおり、ハカマ４２や内筒部材４３に対して螺旋部材４４やスリーブ４５が独立的に回動できるようにしている。
【００２２】
一方、キャップ１０は上端部が閉じた円筒形部材で、本体部２０の中具４７の太径部上に着脱自在に嵌めることができる。
【００２３】
棒状化粧料製品１００の使用時には、キャップ１０をはずした状態で、スリーブ４５を持ち、ハカマ４２又は中具４７を回転させる。これにより内筒部材４３に対して螺旋部材４４が回転し、受け皿４１の係合ピン４６が螺旋部材４４の螺旋溝を摺動すると共に内筒部材４３の切り欠き部４８を上下方向に摺動し、中皿２１が上下方向に移動し、棒状化粧料１を突出又は退避させて使用することが可能となる。
【００２４】
この棒状化粧料製品１００に落下その他何らかの理由で衝撃が加わり、棒状化粧料１が中皿２１から抜け出る方向に力がかかっても、中皿２１の下部には、前述のように密閉空間Ｒが形成されているため、棒状化粧料１が中皿２１から抜け出ることにより密閉空間Ｒの容積が増大し、減圧になることに対しては、外気圧が、密閉空間Ｒとの圧力差により棒状化粧料１を押し戻すように作用する。したがって、本発明によれば、棒状化粧料１が中皿２１から抜け落ちにくくなる。
【００２５】
中皿２１の下端部と蓋部材３０は種々の形態の密封態様をとることができる。
【００２６】
例えば、図２Ａに示した態様では、中皿２１の下端部全周に内側に向う係止突部２３を設けている。一方、蓋部材３０の周縁部には蓋周壁３２を係止突部２３の内周に接するように立設し、更に、蓋周壁３２の上端には係止突部２３の上端と接するように外側に突出するフランジ３３を設け、フランジ３３と蓋部材３０の周縁部とで中皿の係止突部２３を上下から挟む嵌合構造としている。
【００２７】
図２Ｂに示した態様では、中皿２１の下端部全周に内側に向う係止突部２３を設けるとともに、係止突部２３の外壁全周に溝２４を設けている。一方、蓋部材３０には内周壁３４と外周壁３５とを設け、その間に中皿２１の係止突部２３を挟み込む嵌合構造とすると同時に、内周壁３４の外側上端に第１の係止突部３４ａを、外周壁３５の内側上端に第２の係止突部３５ａを設けて、中皿２１と蓋部材３０との係止、密封を確実なものとしている。
【００２８】
図３に示した態様は、蓋部材３０としてアルミ等の金属材料をラミネートした合成樹脂製の薄いシート３６を使用し、中皿２１の下端縁を平面状にし、中皿２１の下端部をシート３６で覆ったものである。シート３６は中皿２１に熱融着で取り付けるか、接着剤で貼り付ける。
【００２９】
このようにシート３６を用いて密閉空間Ｒを形成すると、中皿２１の形状を単純にできるので、型の設計が簡単になるとともに、蓋部材３０はシートを打ち抜くという簡単な工程で作成することが可能となる。
【００３０】
この他、本発明は、繰り出し機構を持たない棒状化粧料製品とすることができる。
【００３１】
また、上述したいずれの態様においても、密閉空間Ｒは、当初より大気圧以下とすることで、棒状化粧料１の抜け防止を一層確実なものにできる。
【産業上の利用可能性】
【００３２】
本発明の棒状化粧料製品は、口紅、リップクリーム、スティックアイシャドウ、スティックファンデーション等の棒状化粧料に適用することができる。
【図面の簡単な説明】
【００３３】
【図１】本発明の棒状化粧料製品の一例の部分縦断面図である。
【図２Ａ】樹脂成型品からなる蓋部材で密封した中皿の一態様の断面図である。
【図２Ｂ】樹脂成型品からなる蓋部材で密封した中皿の異なる態様の断面図である。
【図３】シートからなる蓋部材で密封した中皿の一態様の断面図である。
【符号の説明】
【００３４】
１  棒状化粧料
１０  キャップ
２０  本体部
２１  中皿
２２  フランジ内壁
２３  係止突部
２４  溝
３０  蓋部材
３１  溝
３２  蓋周壁
３３  フランジ
３４  内周壁
３４ａ  係止突部
３５  外周壁
３５ａ  係止突部
３６  シート
４０  繰り出し機構
４１  受け皿
４２  ハカマ
４３  内筒部材
４４  螺旋部材
４５  スリーブ
４６  係合ピン
４７  中具
４８  切り欠き部
４９  摺動リング
１００  棒状化粧料製品
【図１】
2007175218.tif 000003
【図２Ａ】
2007175218.tif 000004
【図２Ｂ】
2007175218.tif 000005
【図３】
2007175218.tif 000006